(57)【要約】【課題】ネットワークに負荷をかけることなく、見守り対象者の所在位置を精度よく確認することができる見守りシステム、見守り方法、およびプログラムを提供すること。【解決手段】見守りシステム１は、見守り者Ｂ２０が、近距離無線通信を用いて検知した近距離無線通信機器２００を見守り対象者Ａ１０の所在位置を確認するための見守りポイントとして設定し、設定した見守りポイントの情報をサーバ３００に送信する設定端末４００と、設定端末４００から受信した見守りポイントの情報と、携帯端末１００が見守り者Ｂ２０に通知を行うための通知先情報とを記憶するサーバ３００と、近距離無線通信を用いて検知した近距離無線通信機器２００が見守りポイントである場合に、サーバ３００の通知先情報に基づいて見守り者Ｂ２０に通知を送信する携帯端末と、を備える。【選択図】図１
2014146999.tif 000002
【特許請求の範囲】
【請求項１】
サーバと、複数の近距離無線通信機器と、見守り対象者の所在を確認する見守りポイントを見守り者が設定する設定端末と、前記見守り対象者が所持する携帯端末とからなる見守りシステムであって、
前記サーバが、
地図情報を記憶する地図情報記憶手段と、
近距離無線通信機器を識別する機器識別情報と、当該近距離無線通信機器が設置されている位置を表す位置情報とを対応付けて記憶する機器設置情報記憶手段と、
前記見守り者を識別する見守り者識別情報と、前記見守り者への通知先を示す通知先情報と、前記携帯端末を識別する端末識別情報とを対応付けて記憶する利用者情報記憶手段と、
前記見守り者識別情報と、前記見守りポイントとして設定された近距離無線通信機器の前記機器識別情報とを対応付けて記憶する見守りポイント情報記憶手段と、
を備え、
前記設定端末が、
近距離無線通信を行う第１の近距離無線通信手段と、
経路を移動する前記見守り者から前記見守りポイントの設定開始指示から設定終了指示を受け付けるまでの間、前記第１の近距離無線通信手段により近距離無線通信が可能な各近距離無線通信機器から、当該近距離無線通信機器の機器識別情報を取得する第１の近隣機器情報取得手段と、
前記第１の近隣機器情報取得手段で取得された機器識別情報の近距離無線通信機器を前記見守りポイントとし、当該機器識別情報と、前記見守り者の見守り者識別情報とを前記見守りポイント情報記憶手段に送信する送信手段と、
を備え、
前記携帯端末が、
近距離無線通信を行う第２の近距離無線通信手段と、
前記第２の近距離無線通信手段により近距離無線通信が可能な各近距離無線通信機器から、当該近距離無線通信機器の機器識別情報を取得する第２の近隣機器情報取得手段と、
前記第２の近隣機器情報取得手段で取得された機器識別情報と当該携帯端末の端末識別情報とに基づいて、前記見守りポイント情報記憶手段と利用者情報記憶手段とを参照し、当該機器識別情報の近距離無線通信機器が前記見守りポイントに設定されているか否かを判定する判定手段と、
前記第２の近隣機器情報取得手段で取得された機器識別情報の近距離無線通信機器が前記見守りポイントに設定されていると前記判定手段で判定された場合に、当該携帯端末の端末識別情報に基づいて前記サーバの前記利用者情報記憶手段から取得した通知先情報に基づいて、前記見守り者に通知を送信する通知手段と、
を備える見守りシステム。
【請求項２】
前記設定端末が、
前記第１の近隣機器情報取得手段で取得された機器識別情報に基づいて、前記機器設置情報記憶手段および前記地図情報記憶手段から、当該機器識別情報の近距離無線通信機器に関する地図情報と当該近距離無線通信機器の位置情報を取得する機器位置情報取得手段と、
前記機器位置情報取得手段で取得した地図情報および位置情報から構成され、前記第１の近隣機器情報取得手段で取得された機器識別情報の近距離無線通信機器の中から前記見守り者が見守りポイントとする近距離無線通信機器を設定できる設定画面を表示手段に表示する表示制御手段と、
を備え、
前記送信手段が、前記設定画面を介して前記見守りポイントとして設定された近距離無線通信機器の機器識別情報と、前記見守り者の見守り者識別情報とを前記見守りポイント情報記憶手段に送信することを特徴とする請求項１に記載の見守りシステム。
【請求項３】
前記設定画面が、更に、前記見守りポイントに前記見守り者が名称を設定でき、
前記送信手段が、前記設定画面を介して前記見守りポイントとして設定された近距離無線通信機器の機器識別情報と、前記設定画面を介して前記見守りポイントに設定された名称と、前記見守り者の見守り者識別情報とを前記見守りポイント情報記憶手段に送信し、
前記見守りポイント情報記憶手段が、前記設定端末から受信した、前記見守り者識別情報と、前記端末識別情報と、前記見守りポイントとして設定された近距離無線通信機器の機器識別情報と、前記見守りポイントに設定された名称と、を対応付けて記憶し、
前記通知手段が、前記第２の近隣機器情報取得手段で取得された機器識別情報の近距離無線通信機器が前記見守りポイントに設定されていると前記判定手段で判定された場合に、当該機器識別情報に基づいて前記見守りポイント情報記憶手段から取得した当該見守りポイントの名称を、当該携帯端末の端末識別情報に基づいて前記利用者情報記憶手段から取得した通知先情報に基づいて、前記見守り者に通知を送信することを特徴とする請求項２に記載の見守りシステム。
【請求項４】
前記第１の近隣機器情報取得手段が、更に、前記近距離無線通信機器の機器識別情報を取得した際に時刻情報も併せて取得し、
前記送信手段が、前記第１の近隣機器情報取得手段で取得された機器識別情報の近距離無線通信機器を前記見守りポイントとし、当該機器識別情報と、当該機器識別情報と併せて取得された時刻情報と、前記見守り者の見守り者識別情報とを前記見守りポイント情報記憶手段に送信し、
前記見守りポイント情報記憶手段が、前記設定端末から受信した、前記見守り者識別情報と、前記見守りポイントとして設定された近距離無線通信機器の機器識別情報と、当該機器識別情報と併せて取得された時刻情報と、を対応付けて記憶し、
前記第２の近隣機器情報取得手段が、更に、近距離無線通信機器の機器識別情報を取得した際に時刻情報も併せて取得し、
前記携帯端末が、
前記第２の近隣機器情報取得手段で取得された機器識別情報の近距離無線通信機器が前記見守りポイントに設定されていると前記判定手段で判定された場合に、当該機器識別情報と当該携帯端末の端末識別情報とに基づいて、前記見守りポイント情報記憶手段と前記利用者情報記憶手段とを参照し、当該見守りポイントの時刻情報と当該見守りポイントの次の見守りポイントの時刻情報とを取得し、当該次の見守りポイントまでの所要時間を算出する所要時間算出手段と、
前記第２の近隣機器情報取得手段で取得された時刻情報と前記所要時間算出手段で算出された所要時間から前記次の見守りポイントの通過時刻を算出する通過時刻算出手段と、
を備え、
前記通知手段が、前記通過時刻算出手段で算出した通過時刻を所定時間経過しても、前記第２の近隣機器情報取得手段が前記次に見守りポイントとして設定されている近距離無線通信機器の機器識別情報を取得していない場合に、当該携帯端末の端末識別情報に基づいて前記利用者情報記憶手段から取得した通知先情報に基づいて、前記見守り者に通知を送信することを特徴とする請求項１から請求項３のいずれかに記載の見守りシステム。
【請求項５】
前記設定端末が、
前記見守り者が指定した経路に設置されている近距離無線通信機を、前記地図情報記憶手段および前記機器設置情報記憶手段を参照して特定し、特定した近距離無線通信機を前記見守りポイントとして設定する見守りポイント設定手段を備え、
前記送信手段が、前記見守りポイント設定手段で前記見守りポイントとして設定された近距離無線通信機の機器識別情報と、前記見守り者の見守り者識別情報とを見守りポイント情報記憶手段に送信することを特徴とする請求項１から請求項４のいずれかに記載の見守りシステム。
【請求項６】
前記第２の近隣機器情報取得手段が、前記見守り者からの指示を受信したことに応じて、起動することを特徴とする請求項１から請求項５のいずれかに記載の見守りシステム。
【請求項７】
前記近距離無線通信機器が、前記携帯端末からの処理要求の待ち状態である際に、他の処理要求を受け付けると、他の近距離無線通信機器に前記携帯端末からの処理要求の代理受け付け依頼を送信することを特徴とする請求項１から請求項６のいずれかに記載の見守りシステム。
【請求項８】
前記近距離無線通信機器が、前記他の処理要求が終了して前記携帯端末からの処理要求の待ち状態に戻った際に、前記携帯端末からの処理要求の代理受け付け終了依頼を前記他の近距離無線通信機器に送信することを特徴とする請求項７に記載の見守りシステム。
【請求項９】
前記近距離無線通信機器が、前記他の処理要求を受け付けると、前記他の近距離無線通信機器にブロードキャスト方式で応答要求を送信し、応答時間または応答時の電波強度の少なくとも一つに基づいて、前記携帯端末からの処理要求の代理受け付け依頼を送信する近距離無線通信機器を決定し、決定した近距離無線通信機器に当該処理要求の代理受け付け依頼を送信することを特徴とする請求項７または請求項８に記載の見守りシステム。
【請求項１０】
前記近距離無線通信機器が、前記経路の移動方向にある近距離無線通信機器にユニキャスト方式で、前記携帯端末からの処理要求の代理受け付け依頼を送信することを特徴とする請求項７または請求項８に記載の見守りシステム。
【請求項１１】
前記サーバが、
前記近距離無線通信機器の稼働状況を監視する監視手段と、
前記監視手段で停止している近距離無線通信機器が検知されたことに応じて、当該近距離無線通信機器の近隣にある近距離無線通信機器を、前記地図情報記憶手段および前記機器設置情報記憶手段を参照して特定し、特定した近距離無線通信機器に当該停止している近距離無線通信への前記携帯端末からの要求の代理受け付けを依頼する代理処理制御手段と、
を備えることを特徴とする請求項１から請求項１０のいずれかに記載の見守りシステム。
【請求項１２】
サーバと、複数の近距離無線通信機器と、見守り対象者の所在を確認する見守りポイントを見守り者が設定する設定端末と、前記見守り対象者が所持する携帯端末とからなる見守りシステムにおける見守り方法であって、
前記サーバが、
地図情報を記憶する地図情報記憶手段と、
近距離無線通信機器を識別する機器識別情報と、当該近距離無線通信機器が設置されている位置を表す位置情報とを対応付けて記憶する機器設置情報記憶手段と、
前記見守り者を識別する見守り者識別情報と、前記見守り者への通知先を示す通知先情報と、前記携帯端末を識別する端末識別情報とを対応付けて記憶する利用者情報記憶手段と、
前記見守り者識別情報と、前記見守りポイントとして設定された近距離無線通信機器の前記機器識別情報とを対応付けて記憶する見守りポイント情報記憶手段と、
を備え、
前記設定端末が、経路を移動する前記見守り者から前記見守りポイントの設定開始指示から設定終了指示を受け付けるまでの間、近距離無線通信により近距離無線通信が可能な各近距離無線通信機器から、当該近距離無線通信機器の機器識別情報を取得する第１のステップと、
前記設定端末が、前記第１のステップで取得された機器識別情報の近距離無線通信機器を前記見守りポイントとし、当該機器識別情報と、前記見守り者の見守り者識別情報とを前記見守りポイント情報記憶手段に送信する第２のステップと、
前記携帯端末が、近距離無線通信が可能な各近距離無線通信機器から、当該近距離無線通信機器の機器識別情報を取得する第３のステップと、
前記携帯端末が、前記第３のステップで取得された機器識別情報と当該携帯端末の端末識別情報とに基づいて、前記見守りポイント情報記憶手段と前記利用者情報記憶手段とを参照し、当該機器識別情報の近距離無線通信機器が前記見守りポイントに設定されているか否かを判定する第４のステップと、
前記携帯端末が、前記第３のステップで取得された機器識別情報の近距離無線通信機器が前記見守りポイントに設定されていると前記第４のステップで判定された場合に、当該携帯端末の端末識別情報に基づいて前記サーバの前記利用者情報記憶手段から取得した通知先情報に基づいて、前記見守り者に通知を送信する第５のステップと、
を含む見守り方法。
【請求項１３】
サーバと、複数の近距離無線通信機器と、見守り対象者の所在を確認する見守りポイントを見守り者が設定する設定端末と、前記見守り対象者が所持する携帯端末とからなる見守りシステムにおける見守り方法をコンピュータに実行させるためのプログラムであって、
前記サーバが、
地図情報を記憶する地図情報記憶手段と、
近距離無線通信機器を識別する機器識別情報と、当該近距離無線通信機器が設置されている位置を表す位置情報とを対応付けて記憶する機器設置情報記憶手段と、
前記見守り者を識別する見守り者識別情報と、前記見守り者への通知先を示す通知先情報と、前記携帯端末を識別する端末識別情報とを対応付けて記憶する利用者情報記憶手段と、
前記見守り者識別情報と、前記見守りポイントとして設定された近距離無線通信機器の前記機器識別情報とを対応付けて記憶する見守りポイント情報記憶手段と、
を備え、
前記設定端末が、経路を移動する前記見守り者から前記見守りポイントの設定開始指示から設定終了指示を受け付けるまでの間、近距離無線通信により近距離無線通信が可能な各近距離無線通信機器から、当該近距離無線通信機器の機器識別情報を取得する第１のステップと、
前記設定端末が、前記第１のステップで取得された機器識別情報の近距離無線通信機器を前記見守りポイントとし、当該機器識別情報と、前記見守り者の見守り者識別情報とを前記見守りポイント情報記憶手段に送信する第２のステップと、
前記携帯端末が、近距離無線通信が可能な各近距離無線通信機器から、当該近距離無線通信機器の機器識別情報を取得する第３のステップと、
前記携帯端末が、前記第３のステップで取得された機器識別情報と当該携帯端末の端末識別情報とに基づいて、前記見守りポイント情報記憶手段と前記利用者情報記憶手段とを参照し、当該機器識別情報の近距離無線通信機器が前記見守りポイントに設定されているか否かを判定する第４のステップと、
前記携帯端末が、前記第３のステップで取得された機器識別情報の近距離無線通信機器が前記見守りポイントに設定されていると前記第４のステップで判定された場合に、当該携帯端末の端末識別情報に基づいて前記サーバの前記利用者情報記憶手段から取得した通知先情報に基づいて、前記見守り者に通知を送信する第５のステップと、
をコンピュータに実行させるためのプログラム。
【発明の詳細な説明】
【技術分野】
【０００１】
本発明は、近距離無線通信機器と携帯端末とを利用した見守りシステム、見守り方法、およびプログラムに関する。
【背景技術】
【０００２】
近年、アクティブタグといったタグを用いて児童の登下校情報を取得したり、児童の位置情報をＧＰＳ（Ｇｌｏｂｌ  Ｐｏｓｉｔｉｏｎｉｎｇ  Ｓｙｓｔｅｍ）を利用して取得したりし、保護者にこれらの情報を提供することにより、児童の安全を見守るサービスが通信事業者等により行われている。
【０００３】
例えば、特許文献１には、自宅を出発した児童が携帯する無線タグが、予想時刻を過ぎても学校の無線読み取り装置に読取られなかった場合に、保護者に通知を行う技術が開示されている。また、特許文献２には、ＧＰＳといった位置検索サービスを利用し、利用者毎に、指定した時間帯に指定した時間間隔で定期的に位置情報を得て記録することにより移動経路を把握するとともに、利用者毎に予め設定された地域範囲と比較することにより異常な行動経路をすばやく認識し警告を発するシステムが記載されている。
【０００４】
更に、非特許文献１には、通学路や街角に設置した見守りセンサーと、子どものランドセル等に取り付けた電子タグとを用いて、登下校時の児童の通過時刻やその画像等の通過履歴を記録・通知するシステムが記載されている。
【先行技術文献】
【特許文献】
【０００５】
【特許文献１】特開２００５−１８２４６９号公報
【特許文献２】特開２００６−１６４２０７号公報
【非特許文献】
【０００６】
【非特許文献１】Ｐａｎａｓｏｎｉｃプレスリリース２００６年６月１日  ｈｔｔｐ：／／ｐａｎａｓｏｎｉｃ．ｃｏ．ｊｐ／ｃｏｒｐ／ｎｅｗｓ／ｏｆｆｉｃｉａｌ．ｄａｔａ／ｄａｔａ．ｄｉｒ／ｊｎ０６０６０１−２／ｊｎ０６０６０１−２．ｈｔｍｌ［２０１３年１月１８日検索］
【発明の概要】
【発明が解決しようとする課題】
【０００７】
しかしながら、特許文献１に記載の技術では、校門から自宅までの経路の移動状況を把握することができないという問題点があった。一方、特許文献２に記載の技術では、経路の移動状況を把握することはできるが、ＧＰＳによる測位では誤差が生じること、およびＧＰＳによる測位自体に時間がかかるといった問題点があった。ＧＰＳを利用する場合の問題点の一つである測位での誤差は、高頻度で測位して位置情報を頻繁に送信することにより解消できるが、ネットワークに負荷がかかるといった別の問題点が生じてしまう。
【０００８】
また、非特許文献１に記載の記述では、特許文献２と同様に経路の移動状況を把握することはできるが、移動状況を把握できるポイントは、見守りセンサーが予め設置されているポイントであるために、サービス提供者側により一意に決定されてしまうという問題点があった。
【０００９】
そこで、本発明は、上述の課題に鑑みてなされたものであり、近距離無線通信機器と携帯端末とを利用することによって、ネットワークに負荷をかけることなく、見守り対象者の所在位置を精度よく確認することができる見守りシステム、見守り方法、およびプログラムを提供することを目的とする。また、見守り対象者の所在を確認したいポイントや見守り対象者の所在を確認するポイントの名称を、見守り者がカスタマイズできる。更に、近距離無線通信機器の機器間で協調して処理を行うことにより、円滑で安定な見守りシステムを提供することができる。
【課題を解決するための手段】
【００１０】
本発明は、上記の課題を解決するために、以下の事項を提案している。なお、理解を容易にするために、本発明の実施形態に対応する符号を付して説明するが、これに限定されるものではない。
【００１１】
（１）  本発明は、サーバ（例えば、図１のサーバ３００に相当）と、複数の近距離無線通信機器（例えば、図１の近距離無線通信機器２００に相当）と、見守り対象者の所在を確認する見守りポイントを見守り者が設定する設定端末（例えば、図１の設定端末４００に相当）と、前記見守り対象者が所持する携帯端末（例えば、図１の携帯端末１００に相当）とからなる見守りシステムであって、前記サーバが、地図情報を記憶する地図情報記憶手段（例えば、図２の地図情報記憶部３１０に相当）と、近距離無線通信機器を識別する機器識別情報と、当該近距離無線通信機器が設置されている位置を表す位置情報とを対応付けて記憶する機器設置情報記憶手段（例えば、図２の機器設置情報記憶部３２０に相当）と、前記見守り者を識別する見守り者識別情報と、前記見守り者への通知先を示す通知先情報と、前記携帯端末を識別する端末識別情報とを対応付けて記憶する利用者情報記憶手段（例えば、図２の利用者情報記憶部３３０に相当）と、前記見守り者識別情報と、前記見守りポイントとして設定された近距離無線通信機器の前記機器識別情報とを対応付けて記憶する見守りポイント情報記憶手段（例えば、図２の見守りポイント情報記憶部３４０に相当）と、を備え、前記設定端末が、近距離無線通信を行う第１の近距離無線通信手段（例えば、図３の近距離無線通信部４１０に相当）と、経路を移動する前記見守り者から前記見守りポイントの設定開始指示から設定終了指示を受け付けるまでの間、前記第１の近距離無線通信手段により近距離無線通信が可能な各近距離無線通信機器から、当該近距離無線通信機器の機器識別情報を取得する第１の近隣機器情報取得手段（例えば、図３の第１近隣機器情報取得部４４０に相当）と、前記第１の近隣機器情報取得手段で取得された機器識別情報の近距離無線通信機器を前記見守りポイントとし、当該機器識別情報と、前記見守り者の見守り者識別情報とを前記見守りポイント情報記憶手段に送信する送信手段（例えば、図３の送信部４７０に相当）と、を備え、前記携帯端末が、近距離無線通信を行う第２の近距離無線通信手段（例えば、図５の第２近距離無線通信部１１０に相当）と、前記第２の近距離無線通信手段により近距離無線通信が可能な各近距離無線通信機器から、当該近距離無線通信機器の機器識別情報を取得する第２の近隣機器情報取得手段（例えば、図５の第２近隣機器情報取得部１２０に相当）と、前記第２の近隣機器情報取得手段で取得された機器識別情報と当該携帯端末の端末識別情報とに基づいて、前記見守りポイント情報記憶手段と利用者情報記憶手段とを参照し、当該機器識別情報の近距離無線通信機器が前記見守りポイントに設定されているか否かを判定する判定手段（例えば、図５の判定部１３０に相当）と、前記第２の近隣機器情報取得手段で取得された機器識別情報の近距離無線通信機器が前記見守りポイントに設定されていると前記判定手段で判定された場合に、当該携帯端末の端末識別情報に基づいて前記サーバの前記利用者情報記憶手段から取得した通知先情報に基づいて、前記見守り者に通知を送信する通知手段（例えば、図５の通知部１４０に相当）と、を備える見守りシステムを提案している。
【００１２】
この発明によれば、地図情報記憶手段が、地図情報を記憶する。機器設置情報記憶手段が、近距離無線通信機器を識別する機器識別情報と、近距離無線通信機器が設置されている位置を表す位置情報とを対応付けて記憶する。利用者情報記憶手段が、見守り者を識別する見守り者識別情報と、見守り者への通知先を示す通知先情報と、携帯端末を識別する端末識別情報とを対応付けて記憶する。見守りポイント情報記憶手段が、見守り者識別情報と、見守りポイントとして設定された近距離無線通信機器の機器識別情報とを対応付けて記憶する。第１の近距離無線通信手段が、近距離無線通信を行う。第１の近隣機器情報取得手段が、経路を移動する見守り者から見守りポイントの設定開始指示から設定終了指示を受け付けるまでの間、第１の近距離無線通信手段により近距離無線通信が可能な各近距離無線通信機器から、近距離無線通信機器の機器識別情報を取得する。送信手段が、第１の近隣機器情報取得手段で取得された機器識別情報の近距離無線通信機器を見守りポイントとし、機器識別情報と、見守り者の見守り者識別情報とを見守りポイント情報記憶手段に送信する。第２の近距離無線通信手段が、近距離無線通信を行う。第２の近隣機器情報取得手段が、第２の近距離無線通信手段により近距離無線通信が可能な各近距離無線通信機器から、近距離無線通信機器の機器識別情報を取得する。判定手段が、第２の近隣機器情報取得手段で取得された機器識別情報と携帯端末の端末識別情報とに基づいて、見守りポイント情報記憶手段と利用者情報記憶手段とを参照し、機器識別情報の近距離無線通信機器が見守りポイントに設定されているか否かを判定する。通知手段が、第２の近隣機器情報取得手段で取得された機器識別情報の近距離無線通信機器が見守りポイントに設定されていると判定手段で判定された場合に、携帯端末の端末識別情報に基づいてサーバの利用者情報記憶手段から取得した通知先情報に基づいて、見守り者に通知を送信する。したがって、見守り対象者が所持する携帯端末が、見守り者によって予め見守りポイントとして設定された近距離無線通信機器と通信をしたことに応じて、見守り対象者の所在を見守り者に通知することができる。その結果、ネットワークに負荷をかけることなく、見守り対象者の所在位置を精度よく、見守り者が確認することができる。
【００１３】
（２）  本発明は、（１）の見守りシステムについて、前記設定端末が、前記第１の近隣機器情報取得手段で取得された機器識別情報に基づいて、前記機器設置情報記憶手段および前記地図情報記憶手段から、当該機器識別情報の近距離無線通信機器に関する地図情報と当該近距離無線通信機器の位置情報を取得する機器位置情報取得手段（例えば、図３の機器位置情報取得部４５０に相当）と、前記機器位置情報取得手段で取得した地図情報および位置情報から構成され、前記第１の近隣機器情報取得手段で取得された機器識別情報の近距離無線通信機器の中から前記見守り者が見守りポイントとする近距離無線通信機器を設定できる設定画面を表示手段に表示する表示制御手段（例えば、図３の表示制御部４６０に相当）と、を備え、前記送信手段が、前記設定画面を介して前記見守りポイントとして設定された近距離無線通信機器の機器識別情報と、前記見守り者の見守り者識別情報とを前記見守りポイント情報記憶手段に送信することを特徴とする見守りシステムを提案している。
【００１４】
この発明によれば、機器位置情報取得手段が、第１の近隣機器情報取得手段で取得された機器識別情報に基づいて、機器設置情報記憶手段および地図情報記憶手段から、機器識別情報の近距離無線通信機器に関する地図情報と近距離無線通信機器の位置情報を取得する。表示制御手段が、機器位置情報取得手段で取得した地図情報および位置情報から構成され、第１の近隣機器情報取得手段で取得された機器識別情報の近距離無線通信機器の中から見守り者が見守りポイントとする近距離無線通信機器を設定できる設定画面を表示手段に表示する。送信手段が、設定画面を介して見守りポイントとして設定された近距離無線通信機器の機器識別情報と、見守り者の見守り者識別情報とを見守りポイント情報記憶手段に送信する。したがって、見守り対象者の所在を確認したいポイントを、見守り者がカスタマイズでき、見守り者に最適な見守りサービスを提供することができる。
【００１５】
（３）  本発明は、（２）の見守りシステムについて、前記設定画面が、更に、前記見守りポイントに前記見守り者が名称を設定でき、前記送信手段が、前記設定画面を介して前記見守りポイントとして設定された近距離無線通信機器の機器識別情報と、前記設定画面を介して前記見守りポイントに設定された名称と、前記見守り者の見守り者識別情報とを前記見守りポイント情報記憶手段に送信し、前記見守りポイント情報記憶手段が、前記見守り者識別情報と、前記端末識別情報と、前記見守りポイントとして設定された近距離無線通信機器の機器識別情報と、前記見守りポイントに設定された名称と、を対応付けて記憶し、前記通知手段が、前記第２の近隣機器情報取得手段で取得された機器識別情報の近距離無線通信機器が前記見守りポイントに設定されていると、前記判定手段で判定された場合に、当該機器識別情報に基づいて前記見守りポイント情報記憶手段から取得した当該見守りポイントの名称を、当該携帯端末の端末識別情報に基づいて前記サーバの前記利用者情報記憶手段から取得した通知先情報に基づいて、前記見守り者に通知を送信することを特徴とする見守りシステムを提案している。
【００１６】
この発明によれば、設定画面が、更に、見守りポイントに見守り者が名称を設定できる。送信手段が、設定画面を介して見守りポイントとして設定された近距離無線通信機器の機器識別情報と、設定画面を介して見守りポイントに設定された名称と、見守り者の見守り者識別情報とを見守りポイント情報記憶手段に送信する。見守りポイント情報記憶手段が、設定端末から受信した、見守り者識別情報と、端末識別情報と、見守りポイントとして設定された近距離無線通信機器の機器識別情報と、見守りポイントに設定された名称と、を対応付けて記憶する。通知手段が、第２の近隣機器情報取得手段で取得された機器識別情報の近距離無線通信機器が見守りポイントに設定されていると判定手段で判定された場合に、機器識別情報に基づいて見守りポイント情報記憶手段から取得した見守りポイントの名称を、携帯端末の端末識別情報に基づいて利用者情報記憶手段から取得した通知先情報に基づいて、見守り者に通知を送信する。したがって、見守り対象者の携帯端末からの通知される見守り対象者の所在を確認するポイントの名称を、見守り者がカスタマイズでき、見守り者に最適な見守りサービスを提供することができる。
【００１７】
（４）  本発明は、（１）から（３）の見守りシステムについて、前記第１の近隣機器情報取得手段が、更に、前記近距離無線通信機器の機器識別情報を取得した際に時刻情報も併せて取得し、前記送信手段が、前記第１の近隣機器情報取得手段で取得された機器識別情報の近距離無線通信機器を前記見守りポイントとし、当該機器識別情報と、当該機器識別情報と併せて取得された時刻情報と、前記見守り者の見守り者識別情報とを前記見守りポイント情報記憶手段に送信し、前記見守りポイント情報記憶手段が、前記設定端末から受信した、前記見守り者識別情報と、前記見守りポイントとして設定された近距離無線通信機器の機器識別情報と、当該機器識別情報と併せて取得された時刻情報と、を対応付けて記憶し、前記第２の近隣機器情報取得手段が、更に、近距離無線通信機器の機器識別情報を取得した際に時刻情報も併せて取得し、前記携帯端末が、前記第２の近隣機器情報取得手段で取得された機器識別情報の近距離無線通信機器が前記見守りポイントに設定されていると前記判定手段で判定された場合に、当該機器識別情報と当該携帯端末の端末識別情報とに基づいて、前記見守りポイント情報記憶手段と前記利用者情報記憶手段とを参照し、当該見守りポイントの時刻情報と当該見守りポイントの次の見守りポイントの時刻情報とを取得し、当該次の見守りポイントまでの所要時間を算出する所要時間算出手段（例えば、図５の所要時間算出部１５０に相当）と、前記第２の近隣機器情報取得手段で取得された時刻情報と前記所要時間算出手段で算出された所要時間から前記次の見守りポイントの通過時刻を算出する通過時刻算出手段（例えば、図５の通過時刻算出部１６０に相当）と、を備え、前記通知手段が、前記通過時刻算出手段で算出した通過時刻を所定時間経過しても、前記第２の近隣機器情報取得手段が前記次に見守りポイントとして設定されている近距離無線通信機器の機器識別情報を取得していない場合に、当該携帯端末の端末識別情報に基づいて前記利用者情報記憶手段から取得した通知先情報に基づいて、前記見守り者に通知を送信することを特徴とする見守りシステムを提案している。
【００１８】
この発明によれば、第１の近隣機器情報取得手段が、更に、近距離無線通信機器の機器識別情報を取得した際に時刻情報も併せて取得する。送信手段が、第１の近隣機器情報取得手段で取得された機器識別情報の近距離無線通信機器を見守りポイントとし、機器識別情報と、機器識別情報と併せて取得された時刻情報と、見守り者の見守り者識別情報とを見守りポイント情報記憶手段に送信する。見守りポイント情報記憶手段が、設定端末から受信した、見守り者識別情報と、見守りポイントとして設定された近距離無線通信機器の機器識別情報と、機器識別情報と併せて取得された時刻情報と、を対応付けて記憶する。第２の近隣機器情報取得手段が、更に、近距離無線通信機器の機器識別情報を取得した際に時刻情報も併せて取得する。所要時間算出手段が、第２の近隣機器情報取得手段で取得された機器識別情報の近距離無線通信機器が見守りポイントに設定されていると判定手段で判定された場合に、機器識別情報と携帯端末の端末識別情報とに基づいて、見守りポイント情報記憶手段と利用者情報記憶手段とを参照し、見守りポイントの時刻情報と見守りポイントの次の見守りポイントの時刻情報とを取得し、次の見守りポイントまでの所要時間を算出する。通過時刻算出手段が、第２の近隣機器情報取得手段で取得された時刻情報と所要時間算出手段で算出された所要時間から次の見守りポイントの通過時刻を算出する。通知手段が、通過時刻算出手段で算出した通過時刻を所定時間経過しても、第２の近隣機器情報取得手段が次に見守りポイントとして設定されている近距離無線通信機器の機器識別情報を取得していない場合に、携帯端末の端末識別情報に基づいて利用者情報記憶手段から取得した通知先情報に基づいて、見守り者に通知を送信する。したがって、見守り対象者は、見守り対象者に異変が起きていることを通知により知ることができる。
【００１９】
（５）  本発明は、（１）から（４）の見守りシステムについて、前記設定端末が、前記見守り者が指定した経路に設置されている近距離無線通信機を、前記地図情報記憶手段および前記機器設置情報記憶手段を参照して特定し、特定した近距離無線通信機を前記見守りポイントとして設定する見守りポイント設定手段（例えば、図９の見守りポイント設定部４８０に相当）を備え、前記送信手段が、前記見守りポイント設定手段で前記見守りポイントとして設定された近距離無線通信機の機器識別情報と、前記見守り者の見守り者識別情報とを見守りポイント情報記憶手段に送信することを特徴とする見守りシステムを提案している。
【００２０】
この発明によれば、見守りポイント設定手段が、見守り者が指定した経路に設置されている近距離無線通信機を、地図情報記憶手段および機器設置情報記憶手段を参照して特定し、特定した近距離無線通信機を見守りポイントとして設定する。送信手段が、見守りポイント設定手段で見守りポイントとして設定された近距離無線通信機の機器識別情報と、見守り者の見守り者識別情報とを見守りポイント情報記憶手段に送信する。したがって、見守り者は見守りたい経路を指定することにより、見守りたい経路に設置されている近距離無線機器を見守りポイントとして設定することができる。
【００２１】
（６）  本発明は、（１）から（５）の見守りシステムについて、前記第２の近隣機器情報取得手段が、前記見守り者からの指示を受信したことに応じて、起動することを特徴とする見守りシステムを提案している。
【００２２】
この発明によれば、第２の近隣機器情報取得手段が、見守り者からの指示を受信したことに応じて、起動する。したがって、見守り対象者の見守りを開始する時を、見守り者が指示することができる。
【００２３】
（７）  本発明は、（１）から（６）の見守りシステムについて、前記近距離無線通信機器が、前記携帯端末からの処理要求の待ち状態である際に、他の処理要求を受け付けると、他の近距離無線通信機器に前記携帯端末からの処理要求の代理受け付けの依頼を送信することを特徴とする見守りシステムを提案している。
【００２４】
この発明によれば、近距離無線通信機器が、携帯端末からの処理要求の待ち状態である際に、他の処理要求を受け付けると、他の近距離無線通信機器に携帯端末からの処理要求の代理受け付けを依頼する。したがって、近距離無線通信機器の機器間で協調して見守りシステムの処理を行うことにより、円滑で安定な見守りシステムを提供することができる。
【００２５】
（８）  本発明は、（７）の見守りシステムについて、前記近距離無線通信機器が、前記他の処理要求が終了して前記携帯端末からの処理要求の待ち状態に戻った際に、前記携帯端末からの処理要求の代理受け付け終了の依頼を前記他の近距離無線通信機器に送信することを特徴とする見守りシステムを提案している。
【００２６】
この発明によれば、近距離無線通信機器が、他の処理要求が終了して携帯端末からの処理要求の待ち状態に戻った際に、携帯端末からの処理要求の代理受け付け終了の依頼を他の近距離無線通信機器に送信する。したがって、他の処理要求が終了すると、元の近距離無線通信機器が携帯端末からの処理要求を受け付けることができる。
【００２７】
（９）  本発明は、（７）または（８）の見守りシステムについて、前記近距離無線通信機器が、前記他の処理要求を受け付けると、前記他の近距離無線通信機器にブロードキャスト方式で応答要求を送信し、応答時間または応答時の電波強度の少なくとも一つに基づいて、前記携帯端末からの処理要求の代理受け付け依頼を送信する近距離無線通信機器を決定し、決定した近距離無線通信機器に処理要求の代理受け付け依頼を送信することを特徴とする見守りシステムを提案している。
【００２８】
この発明によれば、近距離無線通信機器が、他の処理要求を受け付けると、他の近距離無線通信機器にブロードキャスト方式で応答要求を送信し、応答時間または応答時の電波強度の少なくとも一つに基づいて、携帯端末からの処理要求の代理受け付け依頼を送信する近距離無線通信機器を決定し、決定した近距離無線通信機器に処理要求の代理受け付け依頼を送信する。したがって、携帯端末からの処理要求の代理受け付け依頼を送信する最適な近距離無線通信をブロードキャスト方式で決定することができる。
【００２９】
（１０）  本発明は、（７）または（８）の見守りシステムについて、前記近距離無線通信機器が、前記経路の移動方向にある近距離無線通信機器にユニキャスト方式で、前記携帯端末からの処理要求の代理受け付け依頼を送信することを特徴とする見守りシステムを提案している。
【００３０】
この発明によれば、近距離無線通信機器が、経路の移動方向にある近距離無線通信機器にユニキャスト方式で、携帯端末からの処理要求の代理受け付け依頼を送信する。したがって、携帯端末からの処理要求の代理受け付け依頼を送信する最適な近距離無線通信をユニキャスト方式で決定することができる。
【００３１】
（１１）  本発明は、（１）から（１０）の見守りシステムについて、前記サーバが、前記近距離無線通信機器の稼働状況を監視する監視手段（例えば、図１１の監視部３５０に相当）と、前記監視手段で停止している近距離無線通信機器が検知されたことに応じて、当該近距離無線通信機器の近隣にある近距離無線通信機器を、前記地図情報記憶手段および前記機器設置情報記憶手段を参照して特定し、特定した近距離無線通信機器に当該停止している近距離無線通信への前記携帯端末からの要求の代理受け付けを依頼する代理処理制御手段（例えば、図１１の代理処理制御部３６０に相当）と、を備えることを特徴とする見守りシステムを提案している。
【００３２】
この発明によれば、監視手段が、近距離無線通信機器の稼働状況を監視する。代理処理制御手段が、監視手段で停止している近距離無線通信機器が検知されたことに応じて、近距離無線通信機器の近隣にある近距離無線通信機器を、地図情報記憶手段および機器設置情報記憶手段を参照して特定し、特定した近距離無線通信機器に停止している近距離無線通信への携帯端末からの要求の代理受け付けを依頼する。したがって、停止している近距離無線通信機器がある場合であっても、近距離無線通信機器の機器間で協調して見守りシステムの処理を行うことにより、円滑で安定な見守りシステムを提供することができる。
【００３３】
（１２）  本発明は、サーバと、複数の近距離無線通信機器と、見守り対象者の所在を確認する見守りポイントを見守り者が設定する設定端末と、前記見守り対象者が所持する携帯端末とからなる見守りシステムにおける見守り方法であって、前記サーバが、地図情報を記憶する地図情報記憶手段と、近距離無線通信機器を識別する機器識別情報と、当該近距離無線通信機器が設置されている位置を表す位置情報とを対応付けて記憶する機器設置情報記憶手段と、前記見守り者を識別する見守り者識別情報と、前記見守り者への通知先を示す通知先情報と、前記携帯端末を識別する端末識別情報とを対応付けて記憶する利用者情報記憶手段と、前記見守り者識別情報と、前記端末識別情報と、前記見守りポイントとして設定された近距離無線通信機器の前記機器識別情報とを対応付けて記憶する見守りポイント情報記憶手段と、を備え、前記設定端末が、経路を移動する前記見守り者から前記見守りポイントの設定開始指示から設定終了指示を受け付けるまでの間、近距離無線通信により近距離無線通信が可能な各近距離無線通信機器から、当該近距離無線通信機器の機器識別情報を取得する第１のステップ（例えば図６のステップＳ１、Ｓ２に相当）と、前記設定端末が、前記第１のステップで取得された機器識別情報の近距離無線通信機器を前記見守りポイントとし、当該機器識別情報と、前記見守り者の見守り者識別情報とを前記見守りポイント情報記憶手段に送信する第２のステップ（例えば図６のステップＳ４、Ｓ９に相当）と、前記携帯端末が、近距離無線通信が可能な各近距離無線通信機器から、当該近距離無線通信機器の機器識別情報を取得する第３のステップ（例えば図７のステップＳ１１、Ｓ１２に相当）と、前記携帯端末が、前記第３のステップで取得された機器識別情報と当該携帯端末の端末識別情報とに基づいて、前記見守りポイント情報記憶手段と前記利用者情報記憶手段とを参照し、当該機器識別情報の近距離無線通信機器が前記見守りポイントに設定されているか否かを判定する第４のステップ（例えば図７のステップＳ１３に相当）と、前記携帯端末が、前記第３のステップで取得された機器識別情報の近距離無線通信機器が前記見守りポイントに設定されていると前記第４のステップで判定された場合に、当該携帯端末の端末識別情報に基づいて前記サーバの前記利用者情報記憶手段から取得した通知先情報に基づいて、前記見守り者に通知を送信する第５のステップ（例えば図７のステップＳ１４、Ｓ１５に相当）と、を含む見守り方法を提案している。
【００３４】
この発明によれば、まず、第１のステップにおいて、設定端末が、経路を移動する見守り者から見守りポイントの設定開始指示から設定終了指示を受け付けるまでの間、近距離無線通信により近距離無線通信が可能な各近距離無線通信機器から、近距離無線通信機器の機器識別情報を取得する。次に、第２のステップにおいて、設定端末が、第１のステップで取得された機器識別情報の近距離無線通信機器を見守りポイントとし、機器識別情報と、見守り者の見守り者識別情報とを見守りポイント情報記憶手段に送信する。次に、第３のステップにおいて、携帯端末が、近距離無線通信が可能な各近距離無線通信機器から、近距離無線通信機器の機器識別情報を取得する。次に、第４のステップにおいて、携帯端末が、第３のステップで取得された機器識別情報と携帯端末の端末識別情報とに基づいて、見守りポイント情報記憶手段と利用者情報記憶手段とを参照し、機器識別情報の近距離無線通信機器が見守りポイントに設定されているか否かを判定する。次に、第５のステップにおいて、携帯端末が、第３のステップで取得された機器識別情報の近距離無線通信機器が見守りポイントに設定されていると第４のステップで判定された場合に、携帯端末の端末識別情報に基づいてサーバの利用者情報記憶手段から取得した通知先情報に基づいて、見守り者に通知を送信する。したがって、見守り対象者が所持する携帯端末が、見守り者によって予め見守りポイントとして設定された近距離無線通信機器と通信をしたことに応じて、見守り対象者の所在を見守り者に通知することができる。その結果、ネットワークに負荷をかけることなく、見守り対象者の所在位置を精度よく、見守り者が確認することができる。
【００３５】
（１３）  本発明は、サーバと、複数の近距離無線通信機器と、見守り対象者の所在を確認する見守りポイントを見守り者が設定する設定端末と、前記見守り対象者が所持する携帯端末とからなる見守りシステムにおける見守り方法をコンピュータに実行させるためのプログラムであって、前記サーバが、地図情報を記憶する地図情報記憶手段と、近距離無線通信機器を識別する機器識別情報と、当該近距離無線通信機器が設置されている位置を表す位置情報とを対応付けて記憶する機器設置情報記憶手段と、前記見守り者を識別する見守り者識別情報と、前記見守り者への通知先を示す通知先情報と、前記携帯端末を識別する端末識別情報とを対応付けて記憶する利用者情報記憶手段と、前記見守り者識別情報と、前記端末識別情報と、前記見守りポイントとして設定された近距離無線通信機器の前記機器識別情報とを対応付けて記憶する見守りポイント情報記憶手段と、を備え、前記設定端末が、経路を移動する前記見守り者から前記見守りポイントの設定開始指示から設定終了指示を受け付けるまでの間、近距離無線通信により近距離無線通信が可能な各近距離無線通信機器から、当該近距離無線通信機器の機器識別情報を取得する第１のステップ（例えば図６のステップＳ１、Ｓ２に相当）と、前記設定端末が、前記第１のステップで取得された機器識別情報の近距離無線通信機器を前記見守りポイントとし、当該機器識別情報と、前記見守り者の見守り者識別情報とを前記見守りポイント情報記憶手段に送信する第２のステップ（例えば図６のステップＳ４、Ｓ９に相当）と、前記携帯端末が、近距離無線通信が可能な各近距離無線通信機器から、当該近距離無線通信機器の機器識別情報を取得する第３のステップ（例えば図７のステップＳ１１、Ｓ１２に相当）と、前記携帯端末が、前記第３のステップで取得された機器識別情報と当該携帯端末の端末識別情報とに基づいて、前記見守りポイント情報記憶手段と前記利用者情報記憶手段とを参照し、当該機器識別情報の近距離無線通信機器が前記見守りポイントに設定されているか否かを判定する第４のステップ（例えば図７のステップＳ１３に相当）と、前記携帯端末が、前記第３のステップで取得された機器識別情報の近距離無線通信機器が前記見守りポイントに設定されていると前記第４のステップで判定された場合に、当該携帯端末の端末識別情報に基づいて前記サーバの前記利用者情報記憶手段から取得した通知先情報に基づいて、前記見守り者に通知を送信する第５のステップ（例えば図７のステップＳ１４、Ｓ１５に相当）と、をコンピュータに実行させるためのプログラムを提案している。
【００３６】
この発明によれば、まず、第１のステップにおいて、設定端末が、経路を移動する見守り者から見守りポイントの設定開始指示から設定終了指示を受け付けるまでの間、近距離無線通信により近距離無線通信が可能な各近距離無線通信機器から、近距離無線通信機器の機器識別情報を取得する。次に、第２のステップにおいて、設定端末が、第１のステップで取得された機器識別情報の近距離無線通信機器を見守りポイントとし、機器識別情報と、見守り者の見守り者識別情報とを見守りポイント情報記憶手段に送信する。次に、第３のステップにおいて、携帯端末が、近距離無線通信が可能な各近距離無線通信機器から、近距離無線通信機器の機器識別情報を取得する。次に、第４のステップにおいて、携帯端末が、第３のステップで取得された機器識別情報と携帯端末の端末識別情報とに基づいて、見守りポイント情報記憶手段と利用者情報記憶手段とを参照し、機器識別情報の近距離無線通信機器が見守りポイントに設定されているか否かを判定する。次に、第５のステップにおいて、携帯端末が、第３のステップで取得された機器識別情報の近距離無線通信機器が見守りポイントに設定されていると第４のステップで判定された場合に、携帯端末の端末識別情報に基づいてサーバの利用者情報記憶手段から取得した通知先情報に基づいて、見守り者に通知を送信する。したがって、見守り対象者が所持する携帯端末が、見守り者によって予め見守りポイントとして設定された近距離無線通信機器と通信をしたことに応じて、見守り対象者の所在を見守り者に通知することができる。その結果、ネットワークに負荷をかけることなく、見守り対象者の所在位置を精度よく、見守り者が確認することができる。
【発明の効果】
【００３７】
本発明によれば、近距離無線通信機器と携帯端末とを利用することによって、ネットワークに負荷をかけることなく、見守り対象者の所在位置を精度よく確認することができる。また、見守り対象者の所在を確認したいポイントや見守り対象者の所在を確認するポイントの名称を、見守り者がカスタマイズでき、見守り者に最適な見守りサービスを提供することができる。更に、近距離無線通信機器の機器間で協調して処理を行うことにより、円滑で安定な見守りシステムを提供することができる。
【図面の簡単な説明】
【００３８】
【図１】本発明の第１の実施形態に係る見守りシステムの構成を示す図である。
【図２】本発明の第１の実施形態に係るサーバの構成を示す図である。
【図３】本発明の第１の実施形態に係る設定端末の構成を示す図である。
【図４】本発明の第１の実施形態に係る表示制御部で作成された設定画面の一例である。
【図５】本発明の第１の実施形態に係る携帯端末の構成を示す図である。
【図６】本発明の第１の実施形態に係る設定端末の見守りポイント設定処理フローを示す図である。
【図７】本発明の第１の実施形態に係る携帯端末の見守りポイント通知フローを示す図である。
【図８】本発明の第２の実施形態に係る見守りシステムの構成を示す図である。
【図９】本発明の第２の実施形態に係る設定端末の構成を示す図である。
【図１０】本発明の第３の実施形態に係る見守りシステムの構成を示す図である。
【図１１】本発明の第３の実施形態に係るサーバの構成を示す図である。
【発明を実施するための形態】
【００３９】
以下、図面を用いて、本発明の実施形態について詳細に説明する。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００４０】
＜第１の実施形態＞
＜見守りシステム＞
本発明の第１の実施形態に係る見守りシステム１は、図１に示すように、児童といった見守り者対象者Ａ１０が所持する携帯端末１００と、建物等に設けられた近距離無線通信機器（以下、簡略化のため通信機器という）２００ａ、２００ｂと、サーバ３００と、保護者といった見守り者Ｂ２０が所持する設定端末４００とが、ネットワークを介して接続されている。なお、見守り者対象者Ａ１０´と携帯端末１００´とは、見守り者対象者Ａ１０と携帯端末１００とが移動して別の場所にあることを示す。
【００４１】
本実施形態において、通信機器２００ａ、２００ｂは、スマートメータ、ホームゲートウェイ、公衆ＷｉＦｉアクセスポイントといった、近距離無線通信機能を有し、街中に数多く設置されている機器である。また、本実施形態において、見守り者Ｂ２０に対し見守り者Ｂ２０は１名であるが複数名であってもよい。更に、通信機器の数は２つであるが、任意の数でよい。
【００４２】
図２は、本発明の第１の実施形態に係るサーバ３００の構成を示す図である。サーバ３００は、見守りシステム１で用いるデータを記憶しているサーバであって、地図情報記憶部３１０、機器設置情報記憶部３２０、利用者情報記憶部３３０、および見守りポイント情報記憶部３４０から構成される。
【００４３】
地図情報記憶部３１０は、地図に関する地図情報を記憶する。例えば、地図情報記憶部３１０は、地図と地図に含まれる地域を示す範囲情報とを記憶する。
【００４４】
機器設置情報記憶部３２０は、通信機器２００を一意に識別する機器ＩＤと、通信機器が設置されている位置情報とを対応付けて記憶する。図２に、機器設置情報記憶部３２０に記憶される情報の一例を示す。ここで、位置情報は、図２に示すような緯度経度や特定の地点からの方角および距離といった、通信機器２００の位置を人が特定しにくい形で表されているのが望ましい。本実施形態において、通信機器２００として、スマートメータやホームゲートウェイといった個人宅に設置されている機器を使用するために、位置情報から個人を特定しにくいのが望ましいからである。
【００４５】
なお、スマートメータを提供している電力会社のように通信機器２００を提供している事業者は、機器設置情報記憶部３２０に記憶されている情報を所持している。そこで、機器設置情報記憶部３２０をサーバ３００に設けず、事業者から必要に応じて情報を取得するようにしてもよい。この場合、見守りシステムの提供者が、通信機器２００の位置情報の管理を行わないので、位置情報は住所といった通信機器２００の位置を人が容易に特定できる形で表されていてもよい。
【００４６】
利用者情報記憶部３３０は、見守り対象者が所持する携帯端末１００を一意に識別する端末識別情報と、見守り者を一意に識別する見守り者識別情報と、見守り対象者の情報を通知する通知先情報、例えば、見守り者の携帯アドレスや電話番号とを対応付けて記憶する。利用者情報記憶部３３０の情報は、予め見守り者Ｂ２０が設定しておくのが望ましいが、見守りポイントを設定する際に併せて設定してもよい。
【００４７】
見守りポイント情報記憶部３４０は、見守りポイントにある通信機器２００の情報を記憶し、少なくとも、見守りポイントを設定した見守り者識別情報と、見守りポイントにせ設定された通信機器２００の機器識別情報とを対応付けて記憶する。ここで、見守りポイントとは、見守り者が見守り対象者の所在を確認する場所であって、見守り対象者により予め設定される。見守り者が見守りポイントを設定する際に、見守りポイントの名称設定した場合には、見守りポイント情報記憶部３４０は、見守り者識別情報と、機器識別情報とに対応付けて見守りポイントの名称を記憶する。
【００４８】
図３は、本発明の第１の実施形態に係る設定端末４００の構成を示す図である。設定端末４００は、見守り者が見守り対象者の所在を確認する見守りポイントを設定するための端末である。ここで、本実施形態において、見守りポイントは、見守り者が見守り対象者の所在を確認し見守りたい経路、すなわち、見守り者が見守りポイントを設定する経路を移動することによって、見守りポイントとする通信機器２００を設定する。そのため、設定端末４００は、本実施形態においては携帯端末である。
【００４９】
図３に示すように、設定端末４００は、近距離無線通信を行う近距離無線通信部４１０、液晶ディプレイといった表示部４２０、表示部４２０上に設けられタッチ入力を受け付けるタッチパネルといった入力部４３０、第１近隣機器情報取得部４４０、機器位置情報取得部４５０、表示制御部４６０、および送信部４７０から構成される。
【００５０】
第１近隣機器情報取得部４４０は、見守り者から見守りポイントの設定開始の指示を受け付けてから、見守りポイントの設定終了の指示を受け付けるまでの間、近距離無線通信部４１０により近距離無線通信が可能な通信機器２００を検出する。その結果、第１近隣機器情報取得部４４０は、見守り者が見守り対象者の所在を確認し見守りたい経路の開始地点から終了地点まで移動する間にある通信機器２００を検出することができる。次に、第１近隣機器情報取得部４４０は、検出した通信機器２００の機器識別情報を取得する。
【００５１】
見守りポイントのカスタマイズ、すなわち、第１近隣機器情報取得部４４０で機器識別情報を取得した通信機器２００の中から見守りポイントに設定する通信機器２００の選択を行わない場合には、第１近隣機器情報取得部４４０は、取得した機器識別情報を送信部４７０に送信する。この場合、機器識別情報を取得した通信機器２００全てが見守りポイントとなる。一方、見守りポイントのカスタマイズを行う場合には、第１近隣機器情報取得部４４０は、取得した機器識別情報を機器位置情報取得部４５０に送信する。
【００５２】
また、第１近隣機器情報取得部４４０は、検出した通信機器２００の機器識別情報を取得するとともに、機器識別情報を取得した際の時刻情報を併せて取得してもよい。
【００５３】
機器位置情報取得部４５０は、まず、第１近隣機器情報取得部４４０で取得した機器識別情報に基づいて、機器設置情報記憶部３２０から通信機器２００の位置情報を取得する。次に、機器位置情報取得部４５０は、取得した通信機器２００の位置情報に基づいて、地図情報記憶部３１０から地図情報を取得する。
【００５４】
表示制御部４６０は、機器位置情報取得部４５０で取得した地図情報と、第１近隣機器情報取得部４４０で機器識別情報を取得した通信機器２００の位置情報とを表示し、位置情報が表示された通信機器２００の中から見守り者が見守りポイントを設定するための設定画面を作成する。そして、表示制御部４６０は、表示部４２０に作成した設定画面を表示する。
【００５５】
表示制御部４６０は、表示部４２０に表示された設定画面に基づいてされた、見守り者による見守りポイントとして設定する通信機器２００の選択を入力部４３０を介して受け付けると、選択された通信機器２００の機器識別情報を送信部４７０に送信する。
【００５６】
また、表示制御部４６０は、作成した設定画面に表示されている通信機器２００に対して見守り者が設定した名称を入力部４３０を介して受け付けることができる。通信機器２００に対して見守り者が設定した名称を受け付けた場合に、表示制御部４６０は、名称と、名称が設定された通信機器２００の機器識別情報とを送信部４７０に送信する。設定された名称は、見守り対象者が見守りポイントを通過した際に送信される通知に記述される。それにより、見守り者は、自己が設定した名称が通知されることにより、通信機器の住所が通知されるよりもわかりやすく見守り対象者の所在する位置を確認することができる。
【００５７】
図４は、本発明の第１の実施形態に係る表示制御部４６０で作成された設定画面の一例である。図４（ａ）は、見守りたい経路が学校からＡさん宅であって、見守り者２０が設定端末４００を所持して、見守りポイント設定の開始指示を学校で行ってから終了指示をＡさん宅で行うまで移動した場合に、表示制御部４６０で作成された設定画面である。図４（ａ）に示す設定画面では、機器位置情報取得部４５０で取得された地図情報から作成された地図画像上に、機器位置情報取得部４５０で取得された位置情報に基づいて、第１近隣機器情報取得部４４０で検出された全通信機器２０１〜２０６の位置を表示している。
【００５８】
図４（ａ）に示す設定画面にて、見守り者Ｂ２０は見守りポイントに設定したい通信機器を選択する。図４（ｂ）は、図４（ａ）において、見守り者Ｂ２０が見守りポイントとして通信機器２０１、２０５を選択した後に、選択された見守りポイントに対し名称を設定する入力蘭２１１、２１５が表示された設定画面である。見守り者が、入力蘭２１１、２１５に名称を入力することにより、見守りポイントに名称を設定することができる。
【００５９】
図３に戻って、送信部４７０は、第１近隣機器情報取得部４４０から受信した機器識別情報、または、表示制御部４６０から受信した機器識別情報と、設定を行った見守り者の見守り者識別情報とを見守りポイント情報記憶部３４０に送信する。なお、利用者情報記憶部３３０に予め設定をしていない場合には、見守り者の見守り者識別情報と、見守り対象者の情報を通知する通知先情報と、見守り対象者が所持する携帯端末１００の端末識別情報とを、設定端末４００を介して利用者情報記憶部３３０に送信する。
【００６０】
また、送信部４７０は、表示制御部４６０から機器識別情報に対応付けて見守りポイントに設定された名称を受信した場合には、表示制御部４６０から受信した機器識別情報と、名称と、設定を行った見守り者の見守り者識別情報とを見守りポイント情報記憶部３４０に送信する。
【００６１】
次に、図５を用いて、本実施形態において、見守り対象者が保持する携帯端末１００の構成について説明する。図５に示すように、携帯端末１００は、近距離無線通信を行う近距離無線通信部１１０、第２近隣機器情報取得部１２０、判定部１３０、所要時間算出部１５０、通過時刻算出部１６０、および通知部１４０から構成される。なお、所要時間算出部１５０および通過時刻算出部１６０は備えていなくてもよい。
【００６２】
第２近隣機器情報取得部１２０は、近距離無線通信部１１０により近距離無線通信が可能な通信機器２００を検出し、検出した通信機器２００の機器識別情報を取得する。第２近隣機器情報取得部１２０は、見守り者からの指示を受信したことに応じて、例えば、見守り者の電話番号から着信があったことや見守り者のアドレスからメールを受信したことに応じて、処理を開始してもよい。また、第２近隣機器情報取得部１２０は、検出した通信機器２００の機器識別情報を取得するとともに、機器識別情報を取得した際の時刻情報を併せて取得してもよい。
【００６３】
判定部１３０は、第２近隣機器情報取得部１２０で取得された機器識別情報と携帯端末１００の端末識別情報とに基づいて、見守りポイント情報記憶部３４０および利用者情報記憶部３３０とを参照して、第２近隣機器情報取得部１２０で取得された機器識別情報が見守りポイントに設定されているか否かを判断する。なお、判定部１３０は、携帯端末１００の端末識別情報に基づいて、見守りポイント情報記憶部３４０および利用者情報記憶部３３０を参照して、携帯端末１００の見守りポイントに設定されている通信機器２００の機器識別情報を予め取得しておいてもよい。
【００６４】
判定部１３０は、第２近隣機器情報取得部１２０で取得された機器識別情報の通信機器２００が見守りポイントに設定されていると判断した場合には、第２近隣機器情報取得部１２０で取得された機器識別情報と携帯端末１００の端末識別情報とに基づいて、見守りポイント情報記憶部３４０および利用者情報記憶部３３０とを参照して、見守りポイントの名称を取得する。そして、判定部１３０は、取得した見守りポイントの名称を通知部１４０に送信する。なお、見守りポイントに名称が設定されていない場合には、機器設置情報記憶部３２０から取得した機器の位置情報を通知部１４０に送信する。
【００６５】
一方、判定部１３０は、第２近隣機器情報取得部１２０で取得された機器識別情報の通信機器２００が見守りポイントに設定されていないと判断した場合には、処理を終了し、次の通信機器が検出するまで待機する。
【００６６】
所要時間算出部１５０は、第２近隣機器情報取得部１２０で取得された機器識別情報の通信機器２００が見守りポイントに設定されていると、判定部１３０で判定された場合に、機器識別情報と携帯端末１００の端末識別情報とに基づいて、見守りポイント情報記憶部３４０と利用者情報記憶部３３０とを参照し、見守りポイントの時刻情報と次の見守りポイントの時刻情報とを取得し、次の見守りポイントまでの所要時間を算出する。
【００６７】
通過時刻算出部１６０は、第２近隣機器情報取得部１２０で取得された時刻情報と所要時間算出部１５０で算出された所要時間から次の見守りポイントの通過時刻を算出する。
【００６８】
通知部１４０は、判定部１３０から、見守りポイントの通信機器２００の位置情報や、見守りポイントの名称を受信した場合に、携帯端末１００の端末識別情報に基づいて利用者情報記憶部３３０から通知先情報を取得する。そして、通知部１４０は、取得した通知先情報に基づいて、見守り者に見守りポイントの通信機器２００の位置情報や、見守りポイントの名称の通知を行う。
【００６９】
また、通知部１４０は、通過時刻算出部１６０で算出された通過時刻を予め設定された所定時間経過しても、判定部１３０から、見守りポイントの通信機器２００の位置情報や、見守りポイントの名称を受信しない場合にも、携帯端末１００の端末識別情報に基づいて利用者情報記憶部３３０から通知先情報を取得する。そして、通知部１４０は、取得した通知先情報に基づいて、見守り者に、次の見守りポイントを通過していない旨の通知を行う。
【００７０】
＜見守りポイント設定処理フロー＞
図６は、本発明の第１の実施形態に係る設定端末４００の見守りポイント設定処理フローを示す図である。見守り者から見守りポイントの設定開始の指示を受け付けると処理を開始する。
【００７１】
まず、ステップＳ１において、第１近隣機器情報取得部４４０は、近距離無線通信部４１０により近距離無線通信が可能な通信機器２００を検出する。
【００７２】
次に、ステップＳ２において、第１近隣機器情報取得部４４０は、ステップＳ１で検出した通信機器２００の機器識別情報を取得する。
【００７３】
次に、ステップＳ３において、第１近隣機器情報取得部４４０は、見守りポイントの設定終了指示があったか否か判断する。見守りポイントの設定終了指示があった場合には、ステップＳ４に処理を進め、見守りポイントの設定終了指示がなかった場合には、ステップＳ１に処理を戻す。
【００７４】
次に、ステップＳ４において、第１近隣機器情報取得部４４０は、見守りポイントのカスタマイズを行うか否かを判断する。カスタマイズを行う場合には、ステップＳ５に処理を進め、一方、カスタマイズを行わない場合には、ステップＳ９に処理を進める。
【００７５】
次に、ステップＳ５において、機器位置情報取得部４５０は、まず、ステップＳ２で取得した機器識別情報に基づいて、機器設置情報記憶部３２０から通信機器２００の位置情報を取得し、取得した通信機器２００の位置情報に基づいて、地図情報記憶部３１０から地図情報を取得する。
【００７６】
次に、ステップＳ６において、表示制御部４６０は、ステップＳ５で取得した地図情報と、通信機器２００の位置情報とを表示して設定画面を作成し、表示部４２０に表示する。
【００７７】
次に、ステップＳ７において、表示制御部４６０は、ステップＳ６で表示された設定画面に基づいてされた、見守り者による見守りポイントとして設定する通信機器２００の選択を入力部４３０を介して受け付ける。
【００７８】
次に、ステップＳ８において、表示制御部４６０は、ステップＳ６で表示された設定画面に表示されている通信機器２００に対して見守り者が設定した名称を入力部４３０を介して受け付ける。
【００７９】
次に、ステップＳ９において、送信部４７０は、ステップＳ４から処理がきた場合は、ステップＳ２で取得した機器識別情報と、見守り者識別情報とを見守りポイント情報記憶部３４０に送信する。また、送信部４７０はステップＳ８から処理がきた場合は、ステップＳ７で選択を受け付けた通信機器の機器識別情報と、ステップＳ８で受け付けた見守りポイントの名称と、見守り者識別情報とを見守りポイント情報記憶部３４０に送信する。
【００８０】
＜通知処理フロー＞
図７は、本発明の第１の実施形態に係る携帯端末１００の見守りポイント通知フローを示す図である。本処理は、例えば、見守り者からの指示を受け付けると処理が開始する。
【００８１】
まず、ステップＳ１１において、第２近隣機器情報取得部１２０は、近距離無線通信部１１０により近距離無線通信が可能な通信機器２００を検出する。
【００８２】
次に、ステップＳ１２において、第２近隣機器情報取得部１２０は、ステップＳ１１で検出した通信機器２００の機器識別情報を取得する。
【００８３】
次に、ステップＳ１３において、判定部１３０は、ステップＳ１２で取得された機器識別情報と携帯端末１００の端末識別情報とに基づいて、見守りポイント情報記憶部３４０および利用者情報記憶部３３０とを参照して、ステップＳ１１で検出された通信機器２００が見守りポイントに設定されているか否かを判断する。見守りポイントであると判断した場合には、ステップＳ１４に処理を進め、一方、見守りポイントでないと判断した場合には、ステップＳ１６に処理を進める。
【００８４】
次に、ステップＳ１４において、判定部１３０は、通知情報として、通信機器２００の位置情報や名称を見守りポイント情報記憶部３４０および利用者情報記憶部３３０を参照して取得する。
【００８５】
次に、ステップＳ１５において、通知部１４０は、携帯端末１００の端末識別情報に基づいて利用者情報記憶部３３０から通知先情報を取得し、取得した通知先情報に基づいて、見守り者にステップＳ１４で取得した通知情報の通知を送信する。
【００８６】
次に、ステップＳ１６において、携帯端末１００は、終了指示があったか否かを判断し、終了指示があった場合には処理を終了し、一方、終了指示がなかった場合には、ステップＳ１１に処理を戻す。ここで、終了指示は、見守り者が行ってもよいし、予め設定された目的地に到着したことを検知したことに応じて、システムが自動的に行ってもよい。
【００８７】
以上説明したように、本実施形態によれば、見守り者によって予め見守りポイントとして設定された通信機器を利用して、ネットワークに負荷をかけることなく、見守り対象者の所在位置を精度よく、見守り者が確認することができる。また、見守り対象者の所在を確認したい見守りポイントや見守り対象者の所在を確認する見守りポイントの名称を、見守り者がカスタマイズでき、見守り者に最適な見守りサービスを提供することができる。
【００８８】
＜第２の実施形態＞
図８を用いて、本発明の第２の実施形態について説明する。なお、本実施形態における見守りシステムは、見守りポイントを設定端末の表示部に表示した地図を用いて設定する。なお、第１の実施形態と同一の符号を付す構成要素については、同一の機能を有することから、その詳細な説明は省略する。
【００８９】
＜見守りシステム＞
本発明の第２の実施形態に係る見守りシステム２は、図８に示すように、第１の実施形態に係る見守りシステム１とは設定端末４０１において異なる以外は、同じである。
【００９０】
図９は、本発明の第２の実施形態に係る設定端末４０１の構成を示す図である。設定端末４０１は、見守り者が見守り対象者の所在を確認する見守りポイントを設定するための端末である。ここで、本実施形態において、見守り者が、見守り対象者の位置を確認し見守りたい経路を設定端末４０１の表示部４２０に表示された地図を用いて指定することによって、見守りポイントとする通信機器を設定する。本実施形態において、設定端末４０１は、携帯端末には限られず、ＰＣ等であってもよい。
【００９１】
図９に示すように、設定端末４０１は、液晶ディプレイといった表示部４２０、表示部４２０上に設けられタッチ入力を受け付けるタッチパネルといった入力部４３０、見守りポイント設定部４８０、および送信部４７０から構成される。
【００９２】
見守りポイント設定部４８０は、表示部４２０に表示された地図にて見守り者が指定した経路に設置されている通信機器を、地図情報記憶部３１０および機器設置情報記憶部３２０を参照して特定し、特定した通信機器を見守りポイントとして設定する。具体的には、見守りポイント設定部４８０は、図に示すように、地図情報取得部４８１、経路情報取得部４８２、および機器情報取得部４８３から構成される。
【００９３】
地図情報取得部４８１は、ユーザから受け付けた指示に基づいて、サーバ３００の地図情報記憶部３１０から地図を取得し、表示部４２０に表示させる。
【００９４】
経路情報取得部４８２は、表示部４２０に表示された地図に対しユーザが入力した経路情報を取得する。例えば、入力部４３０がタッチスクリーンである場合には、ユーザは地図上の道路を出発地から目的地までをなぞることにより経路情報を入力することができる。
【００９５】
機器情報取得部４８３は、経路情報取得部４８２で取得した経路情報に基づいて、サーバ３００の機器設置情報記憶部３２０から経路上に設置されている通信機器２００の機器識別情報を取得する。
【００９６】
なお、本実施形態の設定端末４０１が、第１の実施形態の設定端末４００が備える表示制御部４６０を備え、機器情報取得部４８３で機器識別情報が取得された通信機器の中から、見守りポイントとする通信機器を見守り者が選択できるようにしてもよい。
【００９７】
以上説明したように、本実施形態によれば、見守り者は見守りたい経路を地図で指定して、見守りたい経路に設置されている無線機器を見守りポイントとして設定することができる。
【００９８】
＜第３の実施形態＞
図１０を用いて、本発明の第３の実施形態について説明する。なお、本実施形態における見守りシステムは、通信機器が複数サービス実行可能である場合に、見守りシステムの処理を近隣の機器間において協調して行う。なお、第１の実施形態と同一の符号を付す構成要素については、同一の機能を有することから、その詳細な説明は省略する。
【００９９】
＜見守りシステム＞
本発明の第３の実施形態に係る見守りシステム３は、図１０に示すように、第１の実施形態に係る見守りシステム１とはサーバ３０１および無線通信機器２０１ａ、２０１ｂにおいて異なる以外は、同じである。なお、本実施形態において、処理の依頼を行う通信機器を２０１ａ、処理の依頼を受ける通信機器を２０１ｂとし、区別しない場合は通信機器２０１とする。
【０１００】
図１１は、本発明の第３の実施形態に係るサーバ３０１の構成を示す図である。サーバ３０１は、見守りシステム３で用いるデータを記憶しているサーバであって、地図情報記憶部３１０、機器設置情報記憶部３２０、利用者情報記憶部３３０、見守りポイント情報記憶部３４０、監視部３５０、および代理処理制御部３６０から構成される。
【０１０１】
監視部３５０は、通信機器２００の稼働状況を監視する。具体的には、監視部３５０は、通信機器２００に備えられているＷＡＮ回線を通じて、稼働しているか否かを監視する。
【０１０２】
代理処理制御部３６０は、監視部３５０で停止している通信機器２００が検知されたことに応じて、停止が検知された通信機器２００の近隣にある通信機器２００を、地図情報記憶部３１０および機器設置情報記憶部３２０の少なくとも一つを参照して特定する。例えば、停止が検知された通信機器２００の機器設置情報記憶部３２０から位置情報を取得し、取得した位置情報に基づいて機器設置情報記憶部３２０と地図情報とを参照して、稼働中であって最も近くに設置されている通信機器２００を特定する。そして、代理処理制御部３６０は、特定した通信機器２００に、停止が検知された通信機器２００への携帯端末１００からの処理要求の代理受け付け依頼を送信する。
【０１０３】
また、代理処理制御部３６０は、停止が検知された通信機器２００が稼働したことを検知したことに応じて、代理受け付け依頼していた近距離無線通信機器２００に代理受け付け終了依頼を送信する。それにより、代理受け付けを依頼されていた通信機器２００は代理受け付けを終了し、稼働した通信機器２００が携帯端末１００からの要求を受け付けられるようになる。
【０１０４】
通信機器２０１ａは、携帯端末１００からの処理要求の待ち状態である際に、他の処理要求を受け付けると、他の通信機器２０１に携帯端末１００からの処理要求の代理受け付け依頼を送信する。なお、他の通信機器２０１に携帯端末１００からの処理要求の代理受け付け依頼を送信した後は、通信機器２０１ａは、携帯端末１００からの処理要求に対し、応答しない。ブロードキャスト方式で他の通信機器２０１を探した後に代理受け付け依頼を送信する場合と、ユニキャスト方式で特定の通信機器２０１ｂに代理受け付けの依頼を行う場合とがある。
【０１０５】
まず、ブロードキャスト方式で他の通信機器２０１を探した後に代理受け付け依頼を送信する場合について説明する。通信機器２０１ａは、ブロードキャスト方式で応答要求を他の通信機器２０１に送信する。通信機器２０１ａは、応答要求への応答時間および応答時の電波強度の少なくとも一つに基づいて、代理受け付け依頼を送信する通信機器２０１ｂを決定する。具体的には、応答要求への応答時間が最も早い通信機器や、応答時の電波強度が最も強い通信機器や、応答要求への応答時間が所定時間内であって、かつ応答時の強度が最も強い通信機器を、代理受け付け依頼を送信する通信機器に決定する。
【０１０６】
次に、ユニキャスト方式で特定の通信機器に代理受け付けの依頼を行う場合について説明する。通信機器２０１ａは、見守り者が見守り対象者の所在を確認し見守りたい経路の移動方向にある通信機器２０１ｂにユニキャスト方式で、携帯端末からの処理要求の代理受け付け依頼を送信する。
【０１０７】
具体的には、設定端末４００で見守りポイントを設定する際に、見守りポイントとして設定された通信機器の他に、見守り者が見守り対象者の所在を確認し見守りたい経路の移動方向にある通信機器２００も検出し、機器識別情報を併せて、サーバ３０１の見守りポイント情報記憶部３４０に記憶しておく。そして、通信機器２００は、見守りポイントとして設定された通信機器２０１ａと併せて記憶されている通信機器の識別情報を取得して、取得した機器識別情報に基づいて、携帯端末１００からの処理要求の代理受け付け依頼を通信機器２０１ｂに送信する。
【０１０８】
また、通信機器２００は、他の処理要求が終了して携帯端末１００からの処理要求の待ち状態に戻った際に、携帯端末１００からの処理要求の代理受け付け終了依頼を、代理受け付け依頼を送信していた通信機器２００に送信する
【０１０９】
以上説明したように、本実施形態によれば、通信機器の機器間で見守りシステムの処理を協調して処理を行うことにより、円滑で安定な見守りシステムを提供することができる。
【０１１０】
なお、見守りシステムの処理をコンピュータ読み取り可能な記録媒体に記録し、この記録媒体に記録されたプログラムを機器に読み込ませ、実行することによって本発明の見守りシステムを実現することができる。ここでいうコンピュータシステムとは、ＯＳや周辺装置等のハードウェアを含む。
【０１１１】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【０１１２】
また、上記プログラムは、前述した機能の一部を実現するためのものであってもよい。更に、前述した機能をコンピュータシステムにすでに記録されているプログラムとの組み合わせで実現できるもの、いわゆる差分ファイル（差分プログラム）であってもよい。
【０１１３】
以上、この発明の実施形態につき、図面を参照して詳述してきたが、具体的な構成はこの実施形態に限られるものではなく、この発明の要旨を逸脱しない範囲の設計等も含まれる。
【符号の説明】
【０１１４】
１            見守りシステム
１０          見守り対象者
２０          見守り者
１００        携帯端末
１１０        近距離無線通信部
１２０        第２近隣機器情報取得部
１３０        判定部
１４０        通知部
２００ａ、ｂ  近距離無線通信機器
３００        サーバ
３１０        地図情報記憶部
３２０        機器設置情報記憶部
３３０        利用者情報記憶部
３４０        見守りポイント情報記憶部
４００        設定端末
４１０        近距離無線通信部
４２０        表示部
４３０        入力部
４４０        第１近隣機器情報取得部
４５０        機器位置情報取得部
４６０        表示制御部
４７０        送信部
【図２】
2014146999.tif 000003
【図３】
2014146999.tif 000004
【図４】
2014146999.tif 000005
【図５】
2014146999.tif 000006
【図６】
2014146999.tif 000007
【図７】
2014146999.tif 000008
【図９】
2014146999.tif 000009
【図１１】
2014146999.tif 000010
【図１】
2014146999.tif 000011
【図８】
2014146999.tif 000012
【図１０】
2014146999.tif 000013